(57)【要約】【課題】  多様な環境下で簡易な操作により、装置内部の詳細な数値情報をリアルタイムで把握する。【解決手段】  結像手段１１は駆動手段１２を介してズームリング１３により駆動され、その駆動位置はポテンショメータ１４により検出される。ポテンショメータ１４の出力は制御手段１５に入力され、制御手段１５によって駆動手段１２はフィードバック制御されている。一方、ポテンショメータ１４の回転位置情報は電圧信号として、情報表示手段１６に表示される。これにより、ズームリング１３の位置情報に基づく電圧値などの装置内部の詳細情報をリアルタイムで把握することができる。【選択図】図１
2007027927.tif 000002
【特許請求の範囲】
【請求項１】
被写体像を結像する結像手段を有するテレビレンズ装置において、電気回路部特有の数値情報を検出する検出手段と、該検出手段で得られた前記数値情報をリアルタイムで表示する情報表示手段とを有することを特徴とするテレビレンズ装置。
【請求項２】
被写体像を結像する結像手段を有するテレビレンズ装置において、電気回路部の電圧値又は電流値を検出する検出手段と、該検出手段で得られた電圧値又は電流値をリアルタイムで表示する情報表示手段と、該情報表示手段の表示対象を前記電圧値又は前記電流値から選択する表示対象選択手段とを有することを特徴とするテレビレンズ装置。
【請求項３】
前記検出手段による数値情報は、前記結像手段を駆動するための前記電気回路部の電圧値又は電流値とした請求項１又は２に記載のテレビレンズ装置。
【請求項４】
被写体像を結像する結像手段を有するテレビレンズ装置及び該テレビレンズ装置と接続して使用するカメラ装置により構成したテレビカメラシステムにおいて、前記テレビレンズ装置の電気回路部特有の数値情報を検出する検出手段と、前記カメラ装置に設け前記検出手段で得られた前記数値情報をリアルタイムで表示する情報表示手段とを有することを特徴とするテレビカメラシステム。
【請求項５】
被写体像を結像する結像手段を有するテレビレンズ装置及び該テレビレンズ装置と接続して使用するカメラ装置により構成するテレビカメラシステムにおいて、前記テレビレンズ装置の電気回路部特有の数値情報を検出する検出手段と、前記カメラ装置に設け前記検出手段で得られた前記数値情報をリアルタイムで表示する情報表示手段と、前記情報表示手段の表示対象を前記数値情報の中から選択する表示対象選択手段とを有することを特徴とするテレビカメラシステム。
【請求項６】
被写体像を結像する結像手段を有するテレビレンズ装置及び該テレビレンズ装置と接続して使用するカメラ装置により構成したテレビカメラシステムにおいて、前記テレビレンズ装置の電気回路部特有の数値情報を検出する検出手段と、前記テレビレンズ装置に設け前記検出手段で得られた前記数値情報をリアルタイムで表示する情報表示手段と、前記カメラ装置に設け前記数値情報をリアルタイムで表示する情報表示手段と、前記２つの情報表示手段の何れかを選択する表示手段選択手段とを有することを特徴とするテレビカメラシステム。
【請求項７】
被写体像を結像する結像手段を有するテレビレンズ装置及び該テレビレンズ装置と接続して使用するカメラ装置により構成したテレビカメラシステムにおいて、前記テレビレンズ装置の電気回路部特有の数値情報を検出する検出手段と、前記テレビレンズ装置に設け前記数値情報をリアルタイムで表示する情報表示手段と、前記カメラ装置に設け前記検出手段で得られた前記数値情報をリアルタイムで表示する情報表示手段と、前記情報表示手段の表示対象を前記数値情報の中から選択する表示対象選択手段と、前記２つの情報表示手段の何れかを選択する表示手段選択手段とを有することを特徴とするテレビカメラシステム。
【請求項８】
前記検出手段による数値情報は、前記結像手段を駆動するための前記電気回路部の電圧値又は電流値とした請求項４〜７の何れか１つの請求項に記載のテレビカメラシステム。
【発明の詳細な説明】
【技術分野】
【０００１】
本発明は、情報表示手段を有するテレビレンズ装置及びテレビカメラシステムに関するものである。
【背景技術】
【０００２】
近年では、放送・業務用のレンズ装置において、ズームの高倍率化やＡＦ化、そして雲台との連係運転化といった高機能化と、ハイビジョンなどに伴う高画質化などの要因で、これまでにも増して常に高い制御性が要求されている。その一方で、レンズ装置は、監視用途として高所や僻地、医療用途として病院など、これまでにない多様な環境下で使用され始めており、環境に左右されない常に安定した制御性が要求されている。
【０００３】
従って、市場にある製品がこのような要求を維持するためには、常に信頼性の高いメンテナンスが必要不可欠となっている。そして、このようなメンテナンスを実現するためには、使用環境に左右されずに精度良く安定して、レンズ装置の詳細状態を把握する必要がある。更に、上記の詳細状態の把握を、開発段階からメンテナンスまで可能な限り、装置としての形態を変えずに一貫して実施できることが望まれている。  このための従来技術として、レンズ装置の概略状態の表示手段を有するレンズ装置が存在しており、その一例として特許文献１が挙げられる。
【０００４】
図７はこのような従来のレンズ装置の概略構成図を示し、例えば光学調節手段である結像手段１と、結像手段１を制御する制御手段２と、制御手段２の出力により結像手段１のズームリング３を駆動する駆動手段４が備えられている。更にズームリング３の回転位置情報を検出するポテンショメータ５と、ポテンショメータ５による回転位置情報を入力し、レンズ装置のズーム位置の概略をＬＥＤの点灯で表示するＬＥＤ表示装置６とが設けられている。
【０００５】
なお、通常では結像手段１は光学レンズで構成され、結像手段１の可動部は、ズームリング３の他にフォーカスリングやアイリスリングが挙げられる。また、ポテンショメータ５は一般的に回転型の可変抵抗器などで構成され、この回転に併せて抵抗値が変化することで、この回転位置情報を電圧信号として出力する構成とされている。
【０００６】
【特許文献１】特開２００１−４２１９６号公報
【発明の開示】
【発明が解決しようとする課題】
【０００７】
しかし、このような要求に対して、上述の従来技術では、一般ユーザが目安とするレンズ装置の概略状態しか把握することができない。ここで、測定結果を表示する手段や方法に関する課題と、レンズ装置の詳細状態を測定する手段や方法に関する課題とがある。測定結果の表示方法として、表示の直前も含め、測定した情報を一定の期間に渡り蓄積した後に、これを解析して表示するか、この測定結果の時間的な経過を表示する方法が考えられる。
【０００８】
この蓄積情報を解析した結果を表示する方法は、過去のレンズ装置の状態を把握する上で有効である。しかし、例えばリアルタイムで発生している問題の把握をしたい場合や、リアルタイムで確認しながら実際の動作を調整したい場合などでは、必ずしもこの情報を蓄積する方法は有効とは云えない。
【０００９】
特に、上記した近年の動向として、レンズ装置には常に高い制御性が要求されているため、最終的にメンテナンスを行う人間の現状認識と、それに基づく判断に頼らざるを得ない部分が多いのが現状である。このような場合には、リアルタイムで詳細情報を把握できることが望ましい。
【００１０】
この場合に、先ずレンズ装置の外装カバーを外し、測定機器を用いて装置内部の詳細状態を把握する方法が考えられるが、測定対象に測定機器を接続すると、その対象個所のインピーダンスが変化してしまう問題が生ずる。例えば、一般に用いられているオシロスコープ用の非絶縁型電圧プローブの場合に、電気回路的には対象個所に並列に高抵抗が挿入されることと等価になり、絶縁型の電流プローブの場合には、直列にインダクタンスや低抵抗が挿入されることと等価になる。
【００１１】
従って、高い測定精度を確保するためには、高価な測定機器や、上記の影響を考慮できる測定技術に長けた技術者が不可欠であり、メンテナンスに係る大幅なコストアップが避けられない。また、外装カバーを開けてしまうことで、工場出荷時のレンズの状態が維持できないという、新たな問題を引き起こすことになる。
【００１２】
例えば、止め具として用いるねじを介して、外装カバーとレンズ装置のフレームグランドを接続するような場合に、このねじの止め具合で、外装カバーとフレームグランドとの接触抵抗が変化する。その結果、上述したように常に精度良く安定してレンズ装置の詳細状態を把握し、メンテナンスに生かすことが難しくなる。
【００１３】
更に、この課題を解決するために、予めレンズ装置の内部に測定手段を設けておき、レンズ装置と接続する各種情報機器に、これら測定結果を表示する方法も考えられるが、このような情報機器を接続することで、通常使用時と装置形態が変わってしまうことになる。この結果、例えば外来ノイズに対する動作チェック時など、接続ケーブル等にノイズが重畳してしまい、測定精度を低下させてしまうなどの問題がある。更に、医療分野でなどでは、測定機器単体又はレンズ装置と測定機器の組み合わせにより、新たに放射されるＥＭＩ（electromagnetic interference）ノイズなどで、医療機器の誤動作を招くこともあり得る。
【００１４】
また、放送・業務用のレンズ装置では、監視用途で高所や僻地に常設される場合もあるが、このような過酷な設置環境下においては、レンズ装置の外装カバーを外す作業さえも難しく、上記の情報機器を携帯して測定することは、極めて困難な作業である。従って、装置としての形態を変えず、かつ測定機器を用いずに、内部の詳細状態を把握できることが望まれる。
【００１５】
本発明の目的は、上述の問題点を解消し、装置内部の詳細状態を把握する際に、リアルタイムで数値情報を把握可能とし、多様な環境下で高い測定精度を確保できるテレビレンズ装置及びテレビカメラシステムを提供することにある。
【課題を解決するための手段】
【００１６】
上記目的を達成するための本発明に係るテレビレンズ装置の技術的特徴は、被写体像を結像する結像手段を有するテレビレンズ装置において、電気回路部特有の数値情報を検出する検出手段と、該検出手段で得られた前記数値情報をリアルタイムで表示する情報表示手段とを有することにある。
【００１７】
また、本発明に係るテレビレンズ装置の技術的特徴は、被写体像を結像する結像手段を有するテレビレンズ装置において、電気回路部の電圧値又は電流値を検出する検出手段と、該検出手段で得られた電圧値又は電流値をリアルタイムで表示する情報表示手段と、該情報表示手段の表示対象を前記電圧値又は前記電流値から選択する表示対象選択手段とを有することにある。
【００１８】
更に、本発明に係るテレビカメラシステムの技術的特徴は、被写体像を結像する結像手段を有するテレビレンズ装置及び該テレビレンズ装置と接続して使用するカメラ装置により構成したテレビカメラシステムにおいて、前記テレビレンズ装置の電気回路部特有の数値情報を検出する検出手段と、前記カメラ装置に設け前記検出手段で得られた前記数値情報をリアルタイムで表示する情報表示手段とを有することにある。
【００１９】
本発明に係るテレビカメラシステムの技術的特徴は、被写体像を結像する結像手段を有するテレビレンズ装置及び該テレビレンズ装置と接続して使用するカメラ装置により構成するテレビカメラシステムにおいて、前記テレビレンズ装置の電気回路部特有の数値情報を検出する検出手段と、前記カメラ装置に設け前記検出手段で得られた前記数値情報をリアルタイムで表示する情報表示手段と、前記情報表示手段の表示対象を前記数値情報の中から選択する表示対象選択手段とを有することにある。
【００２０】
本発明に係るテレビカメラシステムの技術的特徴は、被写体像を結像する結像手段を有するテレビレンズ装置及び該テレビレンズ装置と接続して使用するカメラ装置により構成したテレビカメラシステムにおいて、前記テレビレンズ装置の電気回路部特有の数値情報を検出する検出手段と、前記テレビレンズ装置に設け前記検出手段で得られた前記数値情報をリアルタイムで表示する情報表示手段と、前記カメラ装置に設け前記数値情報をリアルタイムで表示する情報表示手段と、前記２つの情報表示手段の何れかを選択する表示手段選択手段とを有することにある。
【００２１】
本発明に係るテレビカメラシステムの技術的特徴は、被写体像を結像する結像手段を有するテレビレンズ装置及び該テレビレンズ装置と接続して使用するカメラ装置により構成したテレビカメラシステムにおいて、前記テレビレンズ装置の電気回路部特有の数値情報を検出する検出手段と、前記テレビレンズ装置に設け前記数値情報をリアルタイムで表示する情報表示手段と、前記カメラ装置に設け前記検出手段で得られた前記数値情報をリアルタイムで表示する情報表示手段と、前記情報表示手段の表示対象を前記数値情報の中から選択する表示対象選択手段と、前記２つの情報表示手段の何れかを選択する表示手段選択手段とを有することにある。
【発明の効果】
【００２２】
本発明に係るテレビレンズ装置及びテレビカメラシステムによれば、精度良く安定して装置の詳細状態を把握することができ、この詳細状態の表示により把握できる。
【発明を実施するための最良の形態】
【００２３】
本発明を図１〜図６に図示の実施例に基づいて詳細に説明する。
【実施例１】
【００２４】
図１は実施例１のレンズ装置の構成図であり、結像手段１１は駆動手段１２を介してズームリング１３により駆動され、その駆動位置はポテンショメータ１４により検出されるようになっている。また、ポテンショメータ１４の出力は制御手段１５、情報表示手段１６に接続され、制御手段１５の出力である制御信号は駆動手段１２に接続されている。
【００２５】
ポテンショメータ１４はズームリング１３の回転に併せて抵抗値が変化して、回転位置情報である電圧信号である電圧を出力する。制御手段１５はポテンショメータ１４による回転位置情報を入力して、駆動手段１２に制御信号を出力し、ズームリング１３をフィードバック制御する。情報表示手段１６はポテンショメータ１４による回転位置情報を入力し、その電圧値をリアルタイムで表示する。なお、回転位置情報などの情報は電流信号として出力することも可能であり、この場合には情報表示手段には電流値を表示する。
【００２６】
結像手段１１はズームリング１３以外に、筐体外周に設置されたフォーカスリングやアイリスリングの各リングを回転させることにより、ズーム、フォーカス、アイリスを調整可能な光学レンズである。リングの外周部には、駆動モータやポテンショメータ１４との間で、機械的動力の伝達を実現するギアが設けられている。
【００２７】
このように、レンズ装置は測定機器等を付加する必要がなく、また装置のカバー等の開閉も全く必要とせず、ズームリング１３等の位置情報に基づく電圧値などの装置内部の詳細情報を、リアルタイムで表示することができる。
【実施例２】
【００２８】
図２は実施例２のレンズ装置の構成図である。実施例１のレンズ装置に対し、ポテンショメータ１４の出力側にＡ／Ｄ変換手段２１が介在され、制御手段１５の出力側にＤ／Ａ変換手段２２が介在されている。なお一般的に、制御手段１５はマイコンなどの半導体素子が用いられ、通常ではＡ／Ｄ変換手段２１やＤ／Ａ変換手段２２を機能として含んでいる。
【００２９】
Ａ／Ｄ変換手段２１及びＤ／Ａ変換手段２２はそれぞれ公知の変換手段であり、ポテンショメータ１４の検出結果をアナログ信号からデジタル信号に、制御手段１５の制御信号をデジタル信号からアナログ信号にそれぞれ変換する。
【００３０】
図３に示すように、ズームリング１３を駆動する駆動手段１２は駆動モータ１２ａと、この駆動モータ１２ａを駆動する駆動回路１２ｂで構成されている。制御手段１５が出力する制御信号を駆動回路１２ｂに入力して、駆動信号を駆動モータ１２ａに出力し、駆動モータ１２ａがズームリング１３に機械的駆動力を伝達する。
【実施例３】
【００３１】
図４は実施例３のレンズ装置の構成図である。このレンズ装置は実施例２のレンズ装置に対して、基準電圧発生手段３１及び表示対象選択手段３２が新たに追加されている。
【００３２】
基準電圧発生手段３１は制御基準として用いる基準電圧Ｖを出力する手段であり、その出力はＡ／Ｄ変換手段２１に接続されている。表示対象選択手段３２は情報表示手段１６の表示対象を選択する選択信号を出力するスイッチであり、その出力は情報表示手段１６に接続され、表示のオン・オフが選択可能となっている。
【００３３】
ズームリング１３は制御手段１５により、ポテンショメータ１４の出力を基にフィードバック制御していることは実施例２の場合と同様である。一方、Ａ／Ｄ変換手段２１において、ポテンショメータ１４の出力が基準電圧発生手段３１の基準電圧Ｖを上回る場合に、ポテンショメータ１４の電圧値がデジタル信号として情報表示手段１６に出力される。情報表示手段１６は表示対象選択手段３２からの選択信号がオンの場合にのみ、基準電圧Ｖを上回るポテンショメータ１４の電圧信号を表示する。
【実施例４】
【００３４】
図５はレンズ装置Ａと、このレンズ装置Ａに接続するカメラ装置Ｂとにより構成した実施例４のカメラレンズシステムの構成図である。カメラ装置Ｂはレンズ装置Ａと接続して使用され、情報表示手段１６を有している。レンズ装置Ａは実施例３のレンズ装置に対して、駆動手段１２の出力がＡ／Ｄ変換手段２１に接続され、Ａ／Ｄ変換手段２１の出力は制御手段１５へと共にカメラ装置Ｂの情報表示手段１６に接続されている。
【００３５】
図６に示すように、駆動手段１２は駆動モータ１２ａ、駆動回路１２ｂ、電流検出手段１２ｃにより構成されている。電流検出手段１２ｃは駆動回路１２ｂが出力する駆動モータ１２ａへの駆動電流を検出する手段であり、この電流信号をＡ／Ｄ変換手段２１に出力する。
【００３６】
この場合のズームリング１３はポテンショメータ１４からの電圧信号を制御回路１５に入力して、フィードバック制御が行われ、駆動手段１２の電流信号が情報表示手段１６に表示されることになる。
【００３７】
なお、カメラ装置Ｂに搭載された情報表示手段１６をファインダ表示とすると、新たに表示装置を追加する必要がなく、低コストなテレビカメラシステムを構築できる。また、レンズ装置Ａに設けた情報表示手段にも情報表示が可能である。
【００３８】
なお、本発明においては、電気回路部特有の数値情報を常に全て表示しても問題なく、電圧値や電流値を常に表示してもよい。また、これらの情報を選択的に非表示しても支障はない。
【図面の簡単な説明】
【００３９】
【図１】実施例１のレンズ装置の構成図である。
【図２】実施例２のレンズ装置の構成図である。
【図３】実施例２の駆動手段の機能ブロック図である。
【図４】実施例３のレンズ装置の構成図である。
【図５】実施例４のカメラレンズシステムの構成図である。
【図６】実施例４の駆動手段の機能ブロック図である。
【図７】従来例のレンズ装置の概略構成図である。
【符号の説明】
【００４０】
Ａ  レンズ装置
Ｂ  カメラ装置
１１  結像手段
１２  駆動手段
１３  ズームリング
１４  ポテンショメータ
１５  制御手段
１６  情報表示手段
２１  Ａ／Ｄ変換手段
２２  Ｄ／Ａ変換手段
３１  基準電圧発生手段
３２  表示対象選択手段
【図１】
2007027927.tif 000003
【図２】
2007027927.tif 000004
【図３】
2007027927.tif 000005
【図４】
2007027927.tif 000006
【図５】
2007027927.tif 000007
【図６】
2007027927.tif 000008
【図７】
2007027927.tif 000009